(57)【要約】      （修正有）【課題】便座裏板の取り付けパネルの所定位置にヒーター内臓のガラス管を取り付ける際に、固定箇所の位置決めの難しさを解消し、さらにビスを半減させて、作業時間の大幅に短縮することのできるヒーター内蔵ガラス管の着脱が容易な保持具を提供する。【解決手段】丸線弾力性発条型保持体の一方が便座裏板の取り付けパネルの挿入孔に挿入可能であり、しかも丸線弾力性発条型保持体の左右対称な部分を摘み挿入するというワンタッチ操作でヒーター内臓のガラス管６の固定位置を確保でき、丸線弾力性発条型保持体の他方で一つのビス９で固定位置を確保できる。【効果】丸線弾力性発条型保持具は、弾性の原理を利用してワンタッチ操作でヒーター内臓のガラス管からなる被保持体を便座裏板の取り付けパネルの所定位置に固定または脱着できて、部品の点数の軽減と作業時間の大幅な短縮をはかる。【選択図】図６
0003130376.tif 000002
【実用新案登録請求の範囲】
【請求項１】
便座取り付けパネル表面との間に便座を暖めるためのヒーター線を被覆する直線形又は流線型のガラス管からなる被保持体を挟持するように丸線発条保持具で、丸線発条保持具の一端に取り付けパネルの係止取り付け孔へ先行挿入して取り付けパネル裏面側に係止自在とし、一方、保持体の先端部を便座の取り付けパネルに螺子等で固定してなるヒーター被覆ガラス管固定発条保持具。
【請求項２】
丸線発条に形成された保持体は、図面に示す如く前方立面断面図、後方立面断面図、平面図では左右対称の形状でその対称部を摘む際に本体の足部の両端間の長さが取り付けパネルの係止取り付け孔の幅以内に設計されている実用新案請求第１項記載の保持具。
【考案の詳細な説明】
【技術分野】
【０００１】本考案は、簡単な押動操作でヒーター内蔵ガラス管を取り付けパネルに挟持する保持具で着脱が容易な構造に関する。
【背景技術】
【０００２】便座を暖めるためにヒーター内蔵のガラス管を便座裏板の取り付けパネルに取り付けるのに金属製の湾曲状に形成された屈曲保持片からなる保持具が使用されており、その屈曲保持片の両端部にビス孔を儲けて、ビス止めするのが一般的な方法であった。
【考案の開示】
【考案が解決しようとする課題】
【０００３】便座裏板の取り付けパネルにヒーター内蔵のガラス管を取り付ける際に、固定箇所の位置決めの難しさを解消し、さらに使用するビスを半減させて、しかもの保持具部のビス螺子穴をなくし、作業時間を大幅に短縮することを目的とする。
【課題を解決するための手段】
【０００４】本考案は、考案の弾力性発條型保持具の一方が便座裏板の取り付けパネルの挿入穴に挿入可能であり、しかも弾力性発條型保持具をつまみ挿入穴に挿入するというワンタッチ操作でヒーター内蔵のガラス管の固定位置を確保できる。しかし便座の昇降の際に衝撃的な振動のために、余りの過激な振動の時は押動挿入だけでは保持具が外れることもありうる。そこで、保持具のもう一方はビス留めする。この方法による保持具は固定可能で作業が簡単である。しかも保持具部にはビス留め用の穴を必要としない。
【考案の効果】
【０００５】本考案に係る弾力性発條型保持具は、弾性の原理を利用してワンタッチ操作でヒーター内蔵のガラス管の固定位置を確保でき、しかるに便座裏板での取り付け箇所が数箇所にも及び、部品の節約と作業時間の大幅な短縮をはかる。
【実施例】
【０００６】便座裏板の取り付けパネル７の表面の予定箇所に、流線型状のヒーター５を内蔵したガラス管６からなる被保持体を巻持するために、丸線弾力性発條型保持体１の足部２を取り付けパネル７の挿入孔８に先行挿入して、丸線弾力性発條型保持体１のもう一方の先端部４でビス留めすることによるヒーター５を内蔵したガラス管６からなる被保持体を保持する。【０００７】便座裏板の取り付けパネル７から被保持体を取り外す場合は丸線発条の先端部４のビスを外し、丸線発条の左右対称の屈曲係止部３を摘むことにより保持体の足部２の左右の幅が便座裏板の取り付けパネル７の挿入孔８の幅より狭くなり、便座裏板の取り付けパネル７の挿入孔８つまり係止取り付け孔から丸線発条の端が取り出される。
【図面の簡単な説明】
【０００８】図１は従来の保持具を示す取着状態斜視説明図
図２ａはガラス管留め用弾力性丸線八条の傾斜横側面透視図、
図２ｂはガラス管留め用弾力性丸線八条の傾斜前面透視図
図３ａはガラス管留め用弾力性丸線八条の横側面断面図
図３ｂはガラス管留め用弾力性丸線八条の後側面断面図
図３ｃはガラス管留め用弾力性丸線八条の前側面断面図
図３ｄはガラス管留め用弾力性丸線八条の平面図
図４は取り付けパネルの平面図
図５はガラス管を押留め保持した際の平面図
図６はガラス管を押留め保持した際の横断面図
【符号の説明】
【０００９】  １……保持体、２……保持体の足部、３……保持体の屈曲係止部、４……保持体の先端部、
５……ヒーター線、６……ガラス管、７……被取り付けパネル、８……被取り付けパネルの挿入穴、９……ビス、１０……ビス穴、
Ａ……被保持体、Ｂ……保持体片、Ｃ……保持体片の湾曲部、Ｄ
【図１】
0003130376.tif 000003
【図２】
0003130376.tif 000004
【図３】
0003130376.tif 000005
【図４】
0003130376.tif 000006
【図６】
0003130376.tif 000007
【手続補正書】
【提出日】平成18年12月8日(2006.12.8)
【手続補正１】
【補正対象書類名】実用新案登録請求の範囲
【補正対象項目名】請求項１
【補正方法】変更
【補正の内容】
【請求項１】
便座取り付けパネル表面との間に便座を暖めるためのヒーター線を被覆する直線形又は流線型のガラス管からなる被保持体を挟持するように丸線発条保持具で、丸線発条保持具の一端に取り付けパネルの係止取り付け孔へ先行挿入して取り付けパネル裏面側に係止自在とし、一方、保持体の先端部を便座の取り付けパネルに螺子等で固定してなるヒーター内蔵のガラス管の着脱が容易な保持具。
【手続補正２】
【補正対象書類名】実用新案登録請求の範囲
【補正対象項目名】請求項２
【補正方法】変更
【補正の内容】
【請求項２】
丸線発条に形成された保持体が左右対称の形状でその中間部にある左右対称部の屈曲係止部を摘む際に保持体の足部の両端間の長さが取り付けパネルの係止取り付け孔の幅以内に設計されている実用新案請求第１項記載の保持具。
【手続補正３】
【補正対象書類名】明細書
【補正対象項目名】０００４
【補正方法】変更
【補正の内容】
【０００４】本考案は、考案の弾力性発条型保持具の一方が便座裏板の取り付けパネルの挿入穴に挿入可能であり、しかも弾力性発条型保持具をつまみ挿入穴に挿入するというワンタッチ操作でヒーター内蔵のガラス管の固定位置を確保できる。しかし便座の昇降の際に衝撃的な振動のために、余りの過激な振動の時は押動挿入だけでは保持具が外れることもありうる。そこで、保持具のもう一方はビス留めする。この方法による保持具は固定可能で作業が簡単である。しかも保持具部にはビス留め用の穴を必要としない。
【手続補正４】
【補正対象書類名】明細書
【補正対象項目名】０００５
【補正方法】変更
【補正の内容】
【０００５】本考案に係る弾力性発条型保持具は、弾性の原理を利用してワンタッチ操作でヒーター内蔵のガラス管の固定位置を確保でき、しかるに便座裏板での取り付け箇所が数箇所にも及び、部品の節約と作業時間の大幅な短縮をはかる。
【手続補正５】
【補正対象書類名】明細書
【補正対象項目名】０００６
【補正方法】変更
【補正の内容】
【０００６】便座裏板の取り付けパネル７の表面の予定箇所に、流線型状のヒーター５を内蔵したガラス管６からなる被保持体を巻持するために、丸線弾力性発条型保持体１の足部２を取り付けパネル７の挿入孔８に先行挿入して、丸線弾力性発条型保持体１のもう一方の先端部４でビス留めすることによるヒーター５を内蔵したガラス管６からなる被保持体を保持する。
【手続補正６】
【補正対象書類名】明細書
【補正対象項目名】０００８
【補正方法】変更
【補正の内容】
【０００８】
【図１】従来の保持具を示す取着状態斜視説明図
【図２ａ】ガラス管留め用弾力性丸線発条の傾斜横側面透視図、
【図２ｂ】ガラス管留め用弾力性丸線発条の傾斜前面透視図
【図３ａ】ガラス管留め用弾力性丸線発条の横側面断面図
【図３ｂ】ガラス管留め用弾力性丸線発条の後側面断面図
【図３ｃ】ガラス管留め用弾力性丸線発条の前側面断面図
【図３ｄ】ガラス管留め用弾力性丸線発条の平面図
【図４】取り付けパネルの平面図
【図５】ガラス管を押留め保持した際の平面図
【図６】ガラス管を押留め保持した際の横断面図
【手続補正７】
【補正対象書類名】図面
【補正対象項目名】全図
【補正方法】変更
【補正の内容】
【図１】
0003130376.tif 000008
【図２ａ】
0003130376.tif 000009
【図２ｂ】
0003130376.tif 000010
【図３ａ】
0003130376.tif 000011
【図３ｂ】
0003130376.tif 000012
【図４】
0003130376.tif 000013
【図５】
0003130376.tif 000014
【図６】
0003130376.tif 000015